(57)【要約】      （修正有）【課題】構成の簡素化を図るとともに、安全帯の取付作業を簡便に行うことができて、水平材の取付部位の変形等を抑制することができる安全帯取付部材を提供する。【解決手段】支柱の間に架設される水平材５に安全帯２０を取り付けるための取付部材１０であって、水平材が嵌挿され単一の円筒部材からなる筒状部１１と、筒状部に固設され安全帯を取り付ける取付部１５とを備える。筒状部１１は水平材５に摺動可能に取り付けられ、取付部１５は板状体からなり、板状体には筒状部が嵌挿されて安全帯を掛着する掛着孔部１６が形成されている。【選択図】図２
0003196660.tif 000002
【実用新案登録請求の範囲】
【請求項１】
支柱の間に架設される水平材に安全帯を取り付けるための取付部材であって、
前記水平材が嵌挿され単一の円筒部材からなる筒状部と、
前記筒状部に設けられ前記安全帯を取り付ける取付部
とを備えることを特徴とする安全帯取付部材。
【請求項２】
前記筒状部が前記水平材に摺動可能に取り付けられている請求項１に記載の安全帯取付部材。
【請求項３】
前記取付部は板状体からなる請求項１または２に記載の安全帯取付部材。
【請求項４】
前記板状体に前記筒状部が嵌挿されている請求項３に記載の安全帯取付部材。
【請求項５】
前記取付部は、前記板状体に前記安全帯を掛着する掛着孔部が形成されている請求項３または４に記載の安全帯取付部材。
【考案の詳細な説明】
【技術分野】
【０００１】
本考案は、支柱の間に架設される水平材に安全帯を取り付けるための安全帯取付部材に関する。
【背景技術】
【０００２】
一般に、建築物等の工事等に際しては、建築物の外周に仮設足場が設置される。この仮設足場は、複数本の支柱が所定間隔で配置され、各支柱間には足場板が架設されて複数階層の足場が形成される。このような仮設足場の架設作業にあっては、上方への足場の継ぎ足し作業の安全対策として、足場板を架設させる前に、足場支柱の間に傾斜させ交差させて配設される２本の斜材と足場支柱の間に架設される水平材とを備える仮設足場用筋交いが手すりとして先行して配置される（例えば、特許文献１参照。）。
【０００３】
仮設足場が設置された現場においては、作業者が高所での作業を行うことがある。その際、作業者は転落等の事故を防止するために、安全帯（命綱）を装着する。安全帯は、綱部材の先端に仮設足場の水平材等に掛着されるフック部材を有し、ベルト部材を介して作業者に装着される。従来の安全帯にあっては、フック部材に閉方向に付勢された可動片が設けられ、可動片を水平材等に押し当てて開方向へ可動させてフック部材と水平材等とを掛着させる。これにより、フック材に設けられた可動片によりフック部材と水平材等とをワンタッチで掛着させることができるとともに、掛着時には可動片が閉方向に付勢されてフック部材の脱落を防止することができる。
【０００４】
上記従来の安全帯では、フック部材が棒状の部材で構成されており、水平材等と点状または円周方向の線状で接触してその接触面積が少なくなっている。そのため、作業者の落下等により安全帯に荷重がかかると、安全帯のフック部材と水平材等との接触部位に過大な力が加わってしまう。そして、安全帯が掛着される水平材は、一般的にパイプ部材で構成されるため、フック部材との接触部位に過大な力が加わった場合には、取付部位に相当する位置の中空部分が潰れて折れ曲がる変形等が生じることがあった。
【０００５】
そこで考案者は、取付作業を煩雑にすることなく、水平材の安全帯の取付部位の変形等を抑制するために安全帯の取付部材を介在させることを見出し、本考案の安全帯取付部材を考案するに至った。
【先行技術文献】
【特許文献】
【０００６】
【特許文献１】特開２０１２−３６６３４号公報
【考案の概要】
【考案が解決しようとする課題】
【０００７】
本考案は前記の点に鑑みなされたものであり、構成の簡素化を図るとともに、安全帯の取付作業を簡便に行うことができて、水平材の取付部位の変形等を抑制することができる安全帯取付部材を提供するものである。
【課題を解決するための手段】
【０００８】
すなわち、請求項１の考案は、支柱の間に架設される水平材に安全帯を取り付けるための取付部材であって、前記水平材が嵌挿され単一の円筒部材からなる筒状部と、前記筒状部に設けられ前記安全帯を取り付ける取付部とを備えることを特徴とする安全帯取付部材に係る。
【０００９】
請求項２の考案は、前記筒状部が前記水平材に摺動可能に取り付けられている請求項１に記載の安全帯取付部材に係る。
【００１０】
請求項３の考案は、前記取付部は板状体からなる請求項１または２に記載の安全帯取付部材に係る。
【００１１】
請求項４の考案は、前記板状体に前記筒状部が嵌挿されている請求項３に記載の安全帯取付部材に係る。
【００１２】
請求項５の考案は、前記取付部は、前記板状体に前記安全帯を掛着する掛着孔部が形成されている請求項３または４に記載の安全帯取付部材に係る。
【考案の効果】
【００１３】
請求項１の考案に係る安全帯取付部材は、支柱の間に架設される水平材に安全帯を取り付けるための取付部材であって、前記水平材が嵌挿され単一の円筒部材からなる筒状部と、前記筒状部に設けられ前記安全帯を取り付ける取付部とを備えるため、極めて簡素な構成で、従来と同様に安全帯の取付作業をワンタッチで簡便に行うことができるとともに、作業者の落下等による下向きの力を分散させてその影響を軽減することができ、安全帯が取り付けられる水平材の変形等を効果的に抑制することができる。
【００１４】
請求項２の考案は、請求項１において、前記筒状部が前記水平材に摺動可能に取り付けられているため、作業者が移動しても筒状部を水平材上で連動して移動させることができ、当該安全帯取付部材が作業者の移動の妨げとならない。
【００１５】
請求項３の考案は、請求項１または２において、前記取付部は板状体からなるため、より構成の簡素化を図ることができる。
【００１６】
請求項４の考案は、請求項３において、前記板状体に前記筒状部が嵌挿されているため、筒状部に取付部を極めて簡便に取り付けることができる。
【００１７】
請求項５の考案は、請求項３または４において、前記取付部は、前記板状体に前記安全帯を掛着する掛着孔部が形成されているため、極めて簡素な構成で従来と同様に安全帯をワンタッチで簡便に掛着させることができる。
【図面の簡単な説明】
【００１８】
【図１】本考案の一実施例に係る安全帯取付部材が設けられた仮設足場用筋交いの正面図である。
【図２】図１の安全帯取付部材の斜視図である。
【図３】安全帯が取り付けられた水平材に作用する力を表した模式図である。
【考案を実施するための形態】
【００１９】
図１は、建築物等の工事等に際して建築物の外周に設置される仮設足場に先行して手すりとして配置される仮設足場用筋交い１の正面図である。この仮設足場用筋交い１は、従来公知のものが用いられ、足場支柱２，２の間に架設される水平材５と、足場支柱２，２の間に傾斜させ交差させて配設される２本の斜材６，６とを備える。また、この仮設足場用筋交い１には、安全帯取付部材１０が設けられる。
【００２０】
図１において、符号３は足場支柱２の上側に複数設けられた上側くさび受け、４は足場支柱２の下側に複数設けられた下側くさび受け、７は水平材５の両端及び斜材６，６の上端部に取り付けられて足場支柱２の上側くさび受け３に対して取り外し可能に係着される上側連結部材、８は斜材６，６の下端部に取り付けられて足場支柱２の下側くさび受け８に対して取り外し可能に係着される下側連結部材である。
【００２１】
図１，２に示す本考案の一実施例に係る安全帯取付部材１０は、足場支柱２，２の間に架設される水平材５に安全帯２０を取り付けるための取付部材であって、筒状部１１と、取付部１５とを備える。安全帯（命綱）２０は、作業者に装着されて仮設足場用筋交い１と連結されることによって足場からの転落等を防止するものであり、従来公知の部材が用いられる。図２において、符号２１はワイヤーやロープ等からなる綱部材、２２は綱部材２１の先端に設けられたフック部材、２３はフック部材２２の先端に開閉可能に当接するとともに常時閉方向に付勢された可動片である。
【００２２】
筒状部１１は、図２に示すように、当該安全帯取付部材１０を水平材５へ設置するための部材であり、水平材５が嵌挿される単一の円筒部材からなる。この筒状部１１では、切れ目や連結箇所等がない単一の円筒部材で構成されていることから、水平材５の両端に上側連結部材７，７を取り付ける前にあらかじめ水平材５に設置される。そして、上側連結部材７，７の取り付け後には円筒部１１が水平材５から抜けない状態となるため、当該安全帯取付部材１０の脱落を防止することができる。また、切れ目や連結箇所等がない単一部材であるため、構成の簡素化を図ることができるとともに、過大な荷重がかかった場合であっても切れ目等から分離してしまう等の破損等のおそれがない。
【００２３】
さらに筒状部１１では、円筒部材の内周部の直径が水平材５の外周部５ａの直径と等しいかまたはわずかに大きく形成されて、水平材５に対して摺動可能に取り付けられている。そのため、安全帯２０が取り付けられた状態で作業者が足場上を移動しても、筒状部１１を水平材５上で連動して移動させることができる。これにより、当該安全帯取付部材１０が作業者の移動の妨げとならない。実施例において、水平材５は、直径２７．２ｍｍ、厚さ１．７〜２．０ｍｍの鋼管である。筒状部１１の長さは約６０ｍｍとしている。
【００２４】
取付部１５は、図２に示すように、筒状部１１に設けられ安全帯２０が取り付けられる部材である。この取付部１５は単一の板状体によって構成される。特に、取付部１５の筒状部１１への取り付けは、図示のように板状体に筒状部１１を嵌挿させて行われる。この取付部１５は、筒状部１１から脱落しないように設ける必要があり、例えば、溶接等の公知の固定手段によって筒状部１１に固定される。このように、取付部１５を板状体とすることにより構成の簡素化を図ることができ、特に板状体に筒状部１１を嵌挿させることにより極めて簡便に取り付けを行うことができる。なお、取付部１５は筒状部１１から脱落しない構成であればよく、例えば、筒状部１１に適宜の溝部を形成して嵌着させる等の手法を採用してもよい。
【００２５】
また、取付部１５では、板状体に安全帯２０を掛着するための掛着孔部１６が形成されている。安全帯２０の取り付けに際しては、可動片２３を付勢力に抗して開方向へ可動させてフック部材２２を掛着孔部１６に挿通させて掛着させる。そして、掛着後には可動片２３が閉方向に付勢されてフック部材２２が閉鎖されるため、安全帯２０が取付部１５から脱落するおそれがない。このように、板状体に掛着孔部１６を形成した極めて簡素な構成であっても、従来と同様に安全帯２０をワンタッチで簡便に掛着させることができる。
【００２６】
次に、図３を用いて、本考案の安全帯取付部材１０の作用について説明する。まず、図３（ａ）に示す比較例（従来構造）では、水平材５に安全帯２０のフック部材２２が直接掛着される。この比較例では、安全帯２０が水平材５に直接掛着していることにより、棒状のフック部材２２と水平材５の外周部５ａとの接触部位５ｂが点状または円周方向の線状となっている。ここで、作業者の落下等が発生した場合、安全帯２０には下向きの力Ｆがかかる。安全帯２０と水平材５との接触部位５ｂが点状または線状の接触面積が少ない状態であるため、下向きの力Ｆは接触部位５ｂに対して集中的に作用する力Ｆａとして加わることとなる。
【００２７】
一方、図３（ｂ）に示す実施例のように、水平材５に本考案の安全帯取付部材１０を設けた場合、安全帯２０のフック部材２０が安全帯取付部材１０の取付部１５の掛着孔部１６に掛着される。この実施例では、水平材５の外周部５ａに筒状部１１を嵌挿させた安全帯取付部材１０を介して安全帯２０が掛着していることにより、筒状部１１と水平材５の外周部５ａとの接触部位５ｃが軸方向（長さ方向）に幅広な面状となっている。ここで、作業者の落下等により安全帯２０に下向きの力Ｆが加わると、安全帯２０と水平材５との間に安全帯取付部材１０が介在していることから、下向きの力Ｆは安全帯取付部材１０を介して水平材５に作用する。つまり、安全帯取付部材１０の筒状部１１と水平材５の外周部５ａとの接触部位５ｃが幅広な面状の接触面積が多い状態であるため、下向きの力Ｆは接触部位５ｃに対して分散して作用する力Ｆｂとして加わることとなる。
【００２８】
このように、比較例（従来構造）が作業者の落下等による下向きの力Ｆが水平材５に集中的に作用（Ｆａ）しているのに対し、実施例では水平材５に安全帯取付部材１０を介して安全帯２０を取り付けていることにより、下向きの力Ｆが水平材５に分散して作用（Ｆｂ）するようになる。そのため、水平材５に対する下向きの力Ｆの影響が軽減され、安全帯２０が取り付けられる水平材５の変形等を効果的に抑制することができる。
【００２９】
以上図示し説明したように、本考案の安全帯取付部材１０は、支柱２，２の間に架設される水平材５に設けられて、水平材５に安全帯２０を間接的に取り付ける部材であって、単一の円筒部材からなる筒状部１１と、筒状部１１に設けられ安全帯２０を取り付ける取付部１５とを備えるため、極めて簡素な構成で、従来と同様に安全帯２０の取付作業をワンタッチで簡便に行うことができる。また特に、安全帯取付部材１０では水平材５が筒状部１１に嵌挿されるため、作業者の落下等による下向きの力Ｆが水平材５に分散して作用（Ｆｂ）してその影響を軽減することができ、安全帯２０が取り付けられる水平材５の変形等を効果的に抑制することができる。
【００３０】
なお、本考案の安全帯取付部材は、前述の実施例のみに限定されるものではなく、考案の趣旨を逸脱しない範囲において構成の一部を適宜に変更して実施することができる。
【産業上の利用可能性】
【００３１】
以上のとおり、本考案の安全帯取付部材は、極めて簡易な構成によって作業者の落下時等における安全帯が取り付けられた水平材等の変形等を効果的に抑制することができるため、高所作業での安全性の向上が期待できる。
【符号の説明】
【００３２】
１      仮設足場用筋交い
２      足場支柱
３      上側くさび受け
４      下側くさび受け
５      水平材
６      斜材
７      上側連結部
８      下側連結部
１０    安全帯取付部材
１１    筒状部
１５    取付部
１６    掛着孔部
２０    安全帯
２１    綱部材
２２    フック部材
２３    可動片
【図１】
0003196660.tif 000003
【図２】
0003196660.tif 000004
【図３】
0003196660.tif 000005